(57)【要約】【課題】  ホールドすべき部位に対し、限定的にしかも均等に押し当てることができるサポータを提供する。【解決手段】  サポータ１は、ホールドすべき筋肉部分の表面に限定的に押し当てられるように、すじ状に盛り上がった弾性材４で構成されるパッド３を有する。たとえば、腰痛の緩和や予防のために腰に巻くベルト２の中ほどにパッド３を設け、それには、仙骨部１０に押し当てられるように略逆三角形（Ｖ字型）に並べて、すじ状に盛り上がった弾性材４を形成する。【選択図】      図１
0003127569.tif 000002
【実用新案登録請求の範囲】
【請求項１】
ホールドすべき筋肉部分の表面に限定的に押し当てられるように、すじ状に盛り上がった複数の弾性材を有することを特徴とするサポータ。
【請求項２】
すじ状の上記弾性材は、その横断面が略半円形で、幅５〜３０ｍｍ、厚さ２〜１５ｍｍであり、それらが略平行に延びていることを特徴とする請求項１に記載のサポータ。
【請求項３】
腰に巻くベルトの中ほどに、仙骨部に押し当てられるように上記すじ状の弾性材を有することを特徴とする請求項１または２に記載のサポータ。
【請求項４】
仙骨部に押し当てられる上記すじ状の弾性材は、上記ベルトの中央部寄り下部からその両側方上方へかけて延びることにより、略逆三角形の仙骨に添う形をなしていることを特徴とする請求項３に記載のサポータ。
【請求項５】
上記すじ状の弾性材が、硬度１０〜４０度の発泡ウレタンで形成されていることを特徴とする請求項１〜４のいずれかに記載のサポータ。
【考案の詳細な説明】
【技術分野】
【０００１】
請求項に係る考案は、対象とする筋肉を限定的にホールド（サポート）するサポータ、たとえば、腰痛の緩和・改善等のために腰部に巻き付けるサポータに関するものである。
【背景技術】
【０００２】
腰痛の緩和等を目的とするサポータの一つに、特許文献１に開示のものがある。図４に示すように、文献１に記載の腰バンド１’は、バンド２’の中ほどに四角形（横長の長方形）のパッド３’を備えている。バンド２’の一端寄りには腹部に当てるパッド５’も備えている。このようなバンド２’を腰に巻いて両端を腹部の前で合わせ、バンド２’に掛け回したベルト６’を締め付けることにより、パッド３’を仙骨部分に押し当てることができる。
【０００３】
このほか、特許文献２に開示されたサポータもある。図５に示すように、文献２のサポータ１”はベルト２”の中ほどにコルク製のパッド３”を備えている。パッド３”には、腰椎に当たらないようにするための溝７”と、通気のための溝８”が設けられている。使用するときは、ベルト２”を腰に巻き、両端部を腹部前面で合わせて面ファスナ２ａ”で留めることにより、パッド３”を腰椎部に当てる。
【特許文献１】特開平１０−７１１６２号公報
【特許文献２】実用新案登録第３０９２０７７号公報
【考案の開示】
【考案が解決しようとする課題】
【０００４】
特許文献１の腰バンド１’におけるような面状のパッド３’は、体に押し付けるときその全体を均等に押し当てるのはむずかしい。たとえばパッド３’の周囲のみが体に当たってしまうことになりがちである。また、パッド３’の全面を押し付けようとするとバンド２’（ベルト６’）を強く締めなければならず、バンド２’による圧迫が強すぎて腰にストレスがかかったり、血行が悪くなったりする不都合もある。
【０００５】
特許文献２によるサポータ１”のパッド３”は、溝が数本設けられているので面状ではないが、素材がコルクであって硬いうえ厚さが１．１〜１．８ｃｍあることから、適度な締め付け力によってその全体を体に添わせるのはむずかしい。
【０００６】
さらに、特許文献１・２のパッド３’・３”は、いずれも、四角形に構成されている。そのような形のパッドを略逆三角形の仙骨部に当てた場合、パッドの下部両隅が仙骨の横にあるおしりの筋肉をも押し付けてしまい、その動きを妨げることになる。その結果、装着することにより腰回りや脚部に疲れを感じることもある。
【０００７】
請求項の考案は、上記の課題を解決するためになされたもので、ホールドすべき部位に限定的にしかも均等に押し当てることができるサポータを提供するものである。
【課題を解決するための手段】
【０００８】
請求項１に記載のサポータは、ホールド（支持）すべき筋肉部分の表面に限定的に押し当てられるように、すじ状に盛り上がった複数の弾性材を有することを特徴とする。
上記弾性材は、ホールドすべき筋肉部分の表面に「限定的に」押し当てられるのであって、当該筋肉以外の部分には押し当てられないものである。弾性材としては、体に密着させたとき硬すぎず容易に弾性変形するものを使用する。たとえば、スポンジ、ゴム、衝撃吸収材、空気室（ゴムや樹脂のシートでできた袋体に空気を封入したもの）などが使用できる。なお、上記弾性材を有する考案のサポータは、体に固定するためのベルトやバンドとして、またはパンツやスパッツ等として形成することができる。
【０００９】
前述のように、面状の部材を適度な力で均等に体に押し当てることは難しいが、上記のようにすじ状に盛り上がった弾性変形容易な部材なら、その山の部分を、小さな力によってでも確実に、ほぼ均一に体に押し当てることができる。したがって、装着中にも締め付けによるストレスを感じさせにくく、血行も妨げられにくい。すじ状の盛り上がりによる凹凸があるため、血行が保たれるだけでなく体を動かしてもずれにくいという効果も得られる。
また、ホールドが必要な筋肉部分（たとえば仙骨部の筋肉）のみに押し当てるので、当該筋肉以外の周辺の筋肉（たとえばおしりの筋肉）の動きが制限されず、したがって長時間装着しても疲れにくい。このようなサポータは、腰（仙骨部）をはじめ、人体の各部（たとえば肩や首）に適用することが可能である。
【００１０】
請求項２に記載のサポータではさらに、すじ状の上記弾性材が、その横断面（長さ方向に直交する断面）において略半円形で、幅５〜３０ｍｍ、厚さ（高さ）２〜１５ｍｍの寸法を有し、それらが略平行に延びている（幅方向に隣接し合うよう並べられている）ことを特徴とする。
このようなサポータは、弾性材の集合が手の指と同様の盛り上がりを有するので、体に押し当てたときに適切にフィットして、きわめて気持ちがよい。
【００１１】
請求項３に記載のサポータは、腰痛の緩和や予防のために使用するサポータであり、腰に巻くベルトの中ほどに、仙骨部（の後ろの体表面）に押し当てられるように上記した複数本のすじ状の弾性材を有することを特徴とする。
このようなサポータであれば、仙骨部を十分に保持して腰痛の改善等を促進することができる。腰痛の発生時には、腰椎から仙骨にかけての部分で背中の両側にある起立筋を十分にホールドし、その筋力を補助してやることが肝要だからである。前述のとおり、必要部分以外の筋肉（たとえばおしりの筋肉）を制限ないし拘束することがないので、長時間装着しても疲れにくい。
【００１２】
請求項４に記載のサポータのように、仙骨部に押し当てられる上記すじ状の弾性材が、上記ベルトの中央部寄り下部からその両側方上方へかけて延びる（つまり中央部を挟んでＶ字を形成する）ことにより、背面視形状が略逆三角形になっている仙骨の外側（体の表面側）全域に添う形をなしているとよい。
このようなサポータであれば、上記弾性材が仙骨部の外側のみに押し当てられて、必要な筋肉を適切にホールドすることができる。とくに、弾性材がおしりの谷間から上方へＶ字状にうまくフィットし、おしりの他の部分の筋肉を拘束しないため、歩行等の動作に違和感をもたらしがたく、長時間装着しても疲れにくいという効果も顕著である。
【００１３】
さらに請求項５に記載のサポータのように、上記すじ状の弾性材として、硬度１０〜４０度の発泡ウレタンを使用することが好ましい。
スポンジや軟質ゴムについての１０〜４０度という硬度（アスカー硬度）は、概ね人の指の硬さ（軟らかさ）に相当するため、このような性状の弾性材を使用すると、人の手を押し当てたような気持ちの良さを一層顕著に感じさせる。また、フィット感もよく、より均等に全面を体に押し当てることができる。
【考案の効果】
【００１４】
請求項１に記載したサポータによれば、弾性材が、必要な部分のみに、しかも小さな締め付け力によっても均等に押し当てられるので、装着中にストレスを感じさせにくい。凹凸があることにより位置がずれにくいという効果もある。
請求項２に記載のサポータなら、あたかも人の手が当てられているかのような気持ちよさを感じさせることができる。
【００１５】
請求項３に記載のサポータなら、仙骨部を効果的にホールドして腰痛の緩和等を促進することができる。
請求項４に記載のサポータによれば、仙骨部の外側のみにフィットするのでおしりの筋肉が拘束されず、疲れにくい。
請求項５に記載のサポータなら、とくに良好なフィット感が得られる。
【考案を実施するための最良の形態】
【００１６】
考案の一実施形態を、図１〜３に基づき説明する。図１は、サポータ１の全体を表す斜視図で、仙骨部１０に押し当てるパッド３の内側（体に当たる側）を図中に示している。図２は、図１のII−II断面図で、パッド３の横断面を示している。図３は、サポータ１を人の腰に巻いた状態をその人の背中側から示す図であって、パッド３（の外側輪郭）と仙骨部１０の位置関係を示す。
【００１７】
図１に示すように、サポータ１は、左右に延びたベルト２の中央部分（背中に当たる部分）にパッド３を設けたものである。ベルト２は、伸縮性のある化繊生地にて製作し、内側ベルト２Ａと外側ベルト２Ｂとの二重の帯状片が中央部分から延びた形として、各ベルト２Ａ・２Ｂの先端部に、巻き留めのための面ファスナ２ａ・２ｂを設けている。
【００１８】
パッド３は、長さの異なる５本のＶ字型のすじ状弾性材４を左右外側から内側へと入れ子式に並べて化繊生地に取り付け、全体の形状が仙骨部１０（図３）と同じ略逆三角形になるように構成したものである。各すじ状弾性材４は、図２に示すように、横断面が略半円形で、幅ａが２０ｍｍ、高さ（厚さ）ｃが３ｍｍ。隣接する各弾性材４間の間隔ｂは、１０ｍｍである。すじ状弾性材４は、化繊生地上に形成してパッド３としたものを、ベルト２の中央付近に縫い付けるなどして一体化してもよく、直接ベルト２上に一体化してもよい。ベルト２への一体化は、縫い付ける以外に接着等によっても差し支えない。
【００１９】
すじ状弾性材４は、手の指に近い弾性（軟らかさ）をもつものが好ましく、ここでは、衝撃吸収材などに用いられている発泡ウレタンを使用している。その特性は次のようなものである。
みかけ密度      ０．０９９ｇ／ｃｍ3
引張強度       １８．２ｋｇｆ／ｃｍ2
伸び            ４０１％
引裂強度        ５．５ｋｇｆ／ｃｍ
圧縮かたさ      ０．４８ｋｇｆ／ｃｍ2
圧縮永久歪      ２．７％
加熱寸法変化    １０．８％
繰返圧縮永久歪  ５．３％
硬度            ３０度
【００２０】
以上のとおり構成したサポータ１は、図３のように、腰に（素肌に、または下着等の上から）巻いて使用する。すなわち、パッド３を背中の仙骨部１０の位置に合わせ、ベルト２（２Ａ・２Ｂ）の両端部をおなかの前で重ねたうえ、面ファスナー２ａ・２ｂにて留める。その際、まずは内側ベルト２Ａを腰に巻き、そののち適宜に締め増すように外側ベルト２Ｂを巻く。
【００２１】
このように装着した状態では、パッド３が仙骨部１０に押し当てられ、その部分の起立筋のみを限定的に圧迫してホールドする。したがって、仙骨部１０周辺の、たとえばおしりの筋肉などは自由に動かすことができるので、サポータ１を長時間装着しても疲れを感じさせない。
【００２２】
パッド３を構成するすじ状弾性材４は、ちょうど手の指に似た盛り上がりと弾性（軟らかさ）を有するので、体に押し当てたときの感触が心地よい。ベルト２を強く締め付けなくてもすじ状弾性材４の山の部分が効果的に体に当たるうえ、パッド３が体に添うよう弾性変形して、Ｖ字状（扇形）の面積域全体が仙骨部１０の上に均等に接するからである。また人は、痛みを感じるとき、手指を当てて癒されることを体で覚えているからでもあろうと考えられる。
そしてサポータ１は、長時間装着しても血行を妨げることなく、確実に仙骨部分の起立筋をホールドでき、腰痛の緩和および改善を促進することができる。
【００２３】
なお、考案のサポータを実施するについては、各部分をたとえば下記のように構成することも可能である。すなわち、
a)  すじ状弾性材は、上記した発泡ウレタンに限らず、他の衝撃吸収材やスポンジ、ゴム、空気室（袋状の部分に空気を封入したもの）などで手の指に近い硬度を有するものに替えてもよい。
b)  ベルトの素材は、適度な伸縮性があれば化繊生地に限定されない。
c)  ベルトの巻き留めは、面ファスナによるのみには限らず、ホックやボタン、その他の巻き留め手段によることも可能である。
d)  すじ状弾性材によって、肩など、仙骨部以外の特定部分をホールドするように構成することもできる。また、必ずしもベルト状に形成するには及ばない。
【図面の簡単な説明】
【００２４】
【図１】考案の実施について一形態を示すサポータ１の全体斜視図である。仙骨部１０に押し当てるパッド３の内側（体に当たる側）を図中に示している。
【図２】図１のII−II断面図で、パッド３の横断面を示している。
【図３】サポータ１を人の腰に巻いた状態をその人の背中側から示す図であって、パッド３と仙骨部１０の位置関係を示すために人体の一部を透視している。
【図４】従来例としての腰バンド１’を装着した状態を背中側からみた図である。
【図５】別の従来例としてのサポータ１”の正面図で、体に当てる側から見た図である。
【符号の説明】
【００２５】
１  サポータ
２  ベルト
３  パッド
４  すじ状弾性材
【図１】
0003127569.tif 000003
【図２】
0003127569.tif 000004
【図３】
0003127569.tif 000005
【図４】
0003127569.tif 000006
【図５】
0003127569.tif 000007